【手続補正書】
【提出日】平成21年6月18日(2009.6.18)
【手続補正１】
【補正対象書類名】特許請求の範囲
【補正対象項目名】全文
【補正方法】変更
【補正の内容】
【特許請求の範囲】
【請求項１】
少なくとも操作部及び画像読取部を有し、ネットワークに接続可能な画像処理装置であって、
原稿画像の読み取りパラメータを含む画像の読み取り要求を受信すると、前記読み取りパラメータに従って前記画像読取部を駆動して前記原稿画像に対応する画像データを生成する生成手段と、
前記生成手段により生成した画像データを、前記ネットワークを介して前記読み取り要求を発行した外部装置に送信する送信手段と、
前記操作部を使用した操作を、前記外部装置の操作部における操作として前記外部装置に処理させるように前記外部装置に通知する通知手段と、
を有することを特徴とする画像処理装置。
【請求項２】
ネットワークサービス要求を前記外部装置に送信する手段と、
前記外部装置で前記ネットワークサービス要求が受け付けられると、当該ネットワークサービスのクライアントモードに設定する手段とを更に有することを特徴とする請求項１に記載の画像処理装置。
【請求項３】
少なくとも操作部及び画像読取部を有し、ネットワークに接続可能な画像処理装置であって、
前記ネットワークを介して、原稿画像の読み取りパラメータを含む画像の読み取り要求を相手機器に発行する要求発行手段と、
前記読み取り要求に応答して前記相手機器で読み取られた画像データを、前記ネットワークを介して受信する受信手段と、
前記受信手段により受信した画像データを前記画像読取部で読み取った画像データとして処理する処理手段と、
前記相手機器の操作部における操作情報を受信すると、自装置の操作部で同様の操作がなされたものとして処理する操作制御手段と、
を有することを特徴とする画像処理装置。
【請求項４】
前記相手機器からネットワークサービス要求を受信する手段と、
前記ネットワークサービス要求に対応できるか否かを判定する判定手段とを更に有し、
前記判定手段により前記ネットワークサービス要求に対応できると判定されると、前記受信手段、前記処理手段及び前記操作制御手段による処理を実行させることを特徴とする請求項３に記載の画像処理装置。
【請求項５】
少なくとも操作部及び画像読取部を有し、ネットワークに接続可能な画像処理装置の制御方法であって、
前記画像処理装置の生成手段が、原稿画像の読み取りパラメータを含む画像の読み取り要求を受信すると、前記読み取りパラメータに従って前記画像読取部を駆動して前記原稿画像に対応する画像データを生成する生成工程と、
前記画像処理装置の第１送信手段が、前記生成工程で生成した画像データを、前記ネットワークを介して前記読み取り要求を発行した外部装置に送信する送信工程と、
前記画像処理装置の通知手段が、前記操作部を使用した操作を、前記外部装置の操作部における操作として前記外部装置に処理させるように前記外部装置に通知する通知工程と、
を有することを特徴とする画像処理装置の制御方法。
【請求項６】
前記画像処理装置の第２送信手段が、ネットワークサービス要求を前記外部装置に送信する工程と、
前記画像処理装置の設定手段が、前記外部装置で前記ネットワークサービス要求が受け付けられると、当該ネットワークサービスのクライアントモードに設定する工程とを更に有することを特徴とする請求項５に記載の画像処理装置の制御方法。
【請求項７】
少なくとも操作部及び画像読取部を有し、ネットワークに接続可能な画像処理装置の制御方法であって、
前記画像処理装置の要求発行手段が、前記ネットワークを介して、原稿画像の読み取りパラメータを含む画像の読み取り要求を相手機器に発行する要求発行工程と、
前記画像処理装置の第１受信手段が、前記読み取り要求に応答して前記相手機器で読み取られた画像データを、前記ネットワークを介して受信する受信工程と、
前記画像処理装置の処理手段が、前記受信工程で受信した画像データを前記画像読取部で読み取った画像データとして処理する処理工程と、
前記画像処理装置の操作制御手段が、前記相手機器の操作部における操作情報を受信すると、自装置の操作部で同様の操作がなされたものとして処理する操作制御工程と、
を有することを特徴とする画像処理装置の制御方法。
【請求項８】
前記画像処理装置の第２受信手段が、前記相手機器からネットワークサービス要求を受信する工程と、
前記画像処理装置の判定手段が、前記ネットワークサービス要求に対応できるか否かを判定する判定工程とを更に有し、
前記判定工程で前記ネットワークサービス要求に対応できると判定されると、前記受信工程、前記処理工程及び前記操作制御工程による処理を実行させることを特徴とする請求項７に記載の画像処理装置の制御方法。
【請求項９】
ネットワークを介して接続された複数の画像処理装置を有する画像処理システムであって、
第１装置から第２装置に対してネットワークサービスを要求することにより前記第１装置及び第２装置をそれぞれクライアントモード及びサーバモードに設定する手段と、
前記要求に応じて、前記第２装置の操作部を前記第１装置の操作部で制御し、前記第１装置の画像読取部で読み取って生成した画像データを前記第２装置の画像読取部で読み取った画像データとして扱うモードに設定する手段と、
前記第１装置の操作部を使用して設定された設定情報を前記第２装置に設定する手段と、
前記第１装置の操作部から入力される処理開始指示に応答して、前記第２装置から前記第１装置に対して、前記第１装置の画像読取部を使用した画像の読み取りを指示する指示手段と、
前記指示手段による指示に応答して前記第１装置の画像読取部で読み取った画像データを前記第２装置に送信する送信手段と、
前記送信手段により送信された前記画像データに対して、前記第２装置で前記設定情報に応じた処理を実行するように制御する手段と、
を有することを特徴とする画像処理システム。
【手続補正２】
【補正対象書類名】明細書
【補正対象項目名】０００６
【補正方法】変更
【補正の内容】
【０００６】
上記目的を達成するために本発明の一態様に係る画像処理装置は以下のような構成を備える。即ち、
少なくとも操作部及び画像読取部を有し、ネットワークに接続可能な画像処理装置であって、
原稿画像の読み取りパラメータを含む画像の読み取り要求を受信すると、前記読み取りパラメータに従って前記画像読取部を駆動して前記原稿画像に対応する画像データを生成する生成手段と、
前記生成手段により生成した画像データを、前記ネットワークを介して前記読み取り要求を発行した外部装置に送信する送信手段と、
前記操作部を使用した操作を、前記外部装置の操作部における操作として前記外部装置に処理させるように前記外部装置に通知する通知手段と、
を有することを特徴とする。
【手続補正３】
【補正対象書類名】明細書
【補正対象項目名】０００７
【補正方法】変更
【補正の内容】
【０００７】
上記目的を達成するために本発明の一態様に係る画像処理装置は以下のような構成を備える。即ち、
少なくとも操作部及び画像読取部を有し、ネットワークに接続可能な画像処理装置であって、
前記ネットワークを介して、原稿画像の読み取りパラメータを含む画像の読み取り要求を相手機器に発行する要求発行手段と、
前記読み取り要求に応答して前記相手機器で読み取られた画像データを、前記ネットワークを介して受信する受信手段と、
前記受信手段により受信した画像データを前記画像読取部で読み取った画像データとして処理する処理手段と、
前記相手機器の操作部における操作情報を受信すると、自装置の操作部で同様の操作がなされたものとして処理する操作制御手段と、
を有することを特徴とする。
【手続補正４】
【補正対象書類名】明細書
【補正対象項目名】０００８
【補正方法】変更
【補正の内容】
【０００８】
上記目的を達成するために本発明の一態様に係る画像処理装置の制御方法は以下のような工程を備える。即ち、
少なくとも操作部及び画像読取部を有し、ネットワークに接続可能な画像処理装置の制御方法であって、
前記画像処理装置の生成手段が、原稿画像の読み取りパラメータを含む画像の読み取り要求を受信すると、前記読み取りパラメータに従って前記画像読取部を駆動して前記原稿画像に対応する画像データを生成する生成工程と、
前記画像処理装置の第１送信手段が、前記生成工程で生成した画像データを、前記ネットワークを介して前記読み取り要求を発行した外部装置に送信する送信工程と、
前記画像処理装置の通知手段が、前記操作部を使用した操作を、前記外部装置の操作部における操作として前記外部装置に処理させるように前記外部装置に通知する通知工程とを有することを特徴とする。
【手続補正５】
【補正対象書類名】明細書
【補正対象項目名】０００９
【補正方法】変更
【補正の内容】
【０００９】
上記目的を達成するために本発明の一態様に係る画像処理装置の制御方法は以下のような工程を備える。即ち、
少なくとも操作部及び画像読取部を有し、ネットワークに接続可能な画像処理装置の制御方法であって、
前記画像処理装置の要求発行手段が、前記ネットワークを介して、原稿画像の読み取りパラメータを含む画像の読み取り要求を相手機器に発行する要求発行工程と、
前記画像処理装置の第１受信手段が、前記読み取り要求に応答して前記相手機器で読み取られた画像データを、前記ネットワークを介して受信する受信工程と、
前記画像処理装置の処理手段が、前記受信工程で受信した画像データを前記画像読取部で読み取った画像データとして処理する処理工程と、
前記画像処理装置の操作制御手段が、前記相手機器の操作部における操作情報を受信すると、自装置の操作部で同様の操作がなされたものとして処理する操作制御工程とを有することを特徴とする。
【手続補正６】
【補正対象書類名】明細書
【補正対象項目名】００７６
【補正方法】変更
【補正の内容】
【００７６】
図１１で、ソータ１１０２が選択されると、図１２に示すソート設定画面が表示される。